(57)【要約】【課題】異なる放送局からの電波の受信によるチャンネル調整のための周波数変換を効率的且つ迅速に行う。【解決手段】複数の放送局から送信された放送波の受信信号に対し、チャンネルの調整による周波数変換を行う周波数変換装置において、前記放送局毎に予め設定された全物理チャンネルと、前記全物理チャンネルに対応する出力用の周波数を予め登録して記憶する放送局物理チャンネル記憶部と、前記放送局から送信された放送波のうち、予め設定された放送局からの放送波を選択して受信するよう判断する選択局判断部と、前記全物理チャンネルのうち、少なくとも１つの物理チャンネルを前記放送局物理チャンネル記憶部に記憶されている予め設定された放送局系列毎のチャンネルに変換する局部発信信号変換部と、前記局部発信信号変換部により変換された周波数に対応させて抽出される放送信号を受像機に出力する出力部とを有する。【選択図】図１
2009171335.tif 000002
【特許請求の範囲】
【請求項１】
複数の放送局から送信された放送波の受信信号に対し、チャンネルの調整による周波数変換を行う周波数変換装置において、
前記放送局毎に予め設定された全物理チャンネルと、前記全物理チャンネルに対応する出力用の周波数を予め登録して記憶する放送局物理チャンネル記憶部と、
前記放送局から送信された放送波のうち、予め設定された放送局からの放送波を選択して受信するよう判断する選択局判断部と、
前記全物理チャンネルのうち、少なくとも１つの物理チャンネルを前記放送局物理チャンネル記憶部に記憶されている予め設定された放送局系列毎のチャンネルに変換する局部発信信号変換部と、
前記局部発信信号変換部により変換された周波数に対応させて抽出される放送信号を受像機に出力する出力部とを有することを特徴とする周波数変換装置。
【請求項２】
前記受像機における物理チャンネルの変更を遠隔操作装置による遠隔指示により行うために、前記遠隔操作装置からの遠隔制御信号を入力する遠隔信号入力部を有し、
前記局部発信信号変換部は、前記遠隔操作装置からのチャンネル番号に対応したチャンネルの周波数を変換することを特徴とする請求項１に記載の周波数変換装置。
【請求項３】
前記放送局物理チャンネル記憶部は、
前記遠隔操作装置から送信されるチャンネル番号と前記チャンネル番号の周波数とを物理チャンネルに対応付けて記憶することを特徴とする請求項２に記載の周波数変換装置。
【請求項４】
所定の放送局からの放送波を受信するための設定をユーザに入力させる設定入力部を有し、
前記設定入力部から前記全物理チャンネルを複数ある放送局系列のうち、どの放送局に対応させるかの情報が設定されると、前記選択局判断部は、前記設定入力部により設定された放送局からの信号を選択することを特徴とする請求項１乃至３の何れか１項の記載の周波数変換装置。
【請求項５】
前記局部発信信号変換部は、
前記全物理チャンネル毎又は前記放送局毎に一括して物理チャンネルの周波数変換を行うことを特徴とする請求項１乃至４の何れか１項に記載の周波数変換装置。
【請求項６】
前記局部発信信号変換部は、
前記放送局物理チャンネル記憶部により記憶された前記遠隔操作装置に対応したチャンネル番号により、選択されたチャンネルを判断し、前記放送局物理チャンネル記憶部により記録してある物理チャンネルの周波数から固定チャンネルに変換することを特徴とする請求項２乃至５の何れか１項に記載の周波数変換装置。
【発明の詳細な説明】
【技術分野】
【０００１】
本発明は、周波数変換装置に係り、特に異なる放送局からの電波の受信によるチャンネル調整のための周波数変換を、効率的且つ迅速に行う周波数変換装置に関する。
【背景技術】
【０００２】
現在では、地上デジタル放送の開始により、ＣＳ（Ｃｏｍｍｕｎｉｃａｔｉｏｎ  Ｓａｔｅｌｌｉｔｅ：通信衛星）、ＢＳ（Ｂｒｏａｄｃａｓｔｉｎｇ  Ｓａｔｅｌｌｉｔｅ：放送衛星）、地上と、全てのテレビ放送がデジタル化されている。
【０００３】
デジタル放送では、映像や音声の信号を圧縮して一度に多くの情報を送ることができるため、ハイビジョンの高画質・高音質放送、データ放送や、双方向番組、電子番組ガイド（ＥＰＧ：Ｅｌｅｃｔｒｏｎｉｃ  Ｐｒｏｇｒａｍ  Ｇｕｉｄｅ）等、暮らしに役立つ様々なサービスを提供することができる。また、放送局は、地上デジタル放送の電波を全国各地に届けるために、親局の他にも数多くの中継局が設けられている。
【０００４】
このような地上波デジタル放送の普及に伴い、現在、アナログ放送に使用している電波は飽和状態にあり、新しいチャンネルを割り当てることができない。したがって、例えば地上デジタル放送は、ＵＨＦ（Ｕｌｔｒａ  Ｈｉｇｈ  Ｆｒｅｑｕｅｎｃｙ：極超短波）の電波を使うため、現在ＵＨＦの電波でアナログ放送を実施している地域では、デジタル放送の電波とアナログ放送の電波とが混信してしまう可能性がある。
【０００５】
そのため、地上デジタル放送を実現すべく、現在のアナログ放送のチャンネルを一部変更し、デジタル放送用のチャンネルを確保する必要がある。つまり、電波の混信が起きないように、地域によっては現在のアナログ放送のチャンネルを別のチャンネルに変更する必要がある。なお、このチャンネル変更に伴う対策は「アナログ周波数変更対策（アナアナ変更）」と呼ばれている。
【０００６】
また、全国に複数ある各放送局においては、それぞれチャンネルに対応する周波数が異なっている地域も存在するため、その対応が必要となる。地上波デジタル放送においては、そのためのユーザインターフェースが規格化されている（例えば、非特許文献１参照。）。また、入力と出力の周波数を変換するためのコンバータに関する手法が開示されている（例えば、特許文献１参照。）。
【非特許文献１】社団法人  電波産業会，「地上デジタルテレビジョン放送運用規定  技術資料」，ＡＲＩＢ  ＴＲ−Ｂ１４．
【特許文献１】特開２００２−３５４４７３号公報
【発明の開示】
【発明が解決しようとする課題】
【０００７】
ところで、地上デジタル放送の受信においては、通常、地上デジタル受信機の設置時に受信チャンネルの初期スキャン又は再スキャンをする必要がある。そこで、放送局の新規の開局や新中継局設置、受信機位置の移動等の場合に備え、ユーザが再スキャンできる機能が設けられている。また、移動・携帯受信機の場合には、電波の状態が頻繁に変わるため、自動スキャン機能等を持つことで対応することが想定される。
【０００８】
しかしながら、例えば地上デジタル放送等においては、場所によって電波の途切れを防止するために、複数の中継局からの電波を受信する必要が生じる。そのため、受信する放送局が変わる度に再スキャンによるチャンネルの測定をしなければならなかった。つまり、従来では、この作業による測定等の処理の煩雑さを伴うと共に時間がかかっていた。
【０００９】
また、従来では、受信機位置の移動毎に再スキャンを行ってしまうため、その処理時間が膨大となってしまい、移動体通信においてリアルタイムな受信を行うことができなかった。
【００１０】
更に、従来では、移動後のある所定の位置で、ある所定の放送局からの放送波を受信し、受信状態を測定したいような場合には、再スキャンを行うことで、例えば最も受信レベルの高い又はノイズの少ない放送波を出力している放送局からの放送波を優先して受信することになってしまう。そのため、ある地点において、予め設定された放送局からの放送波の受信状況を取得することができなかった。
【００１１】
本発明は、上述した問題点に鑑みなされたものであり、異なる放送局からの電波の受信によるチャンネル調整のための周波数変換を、再スキャンすることなく効率的且つ迅速に行う周波数変換装置を提供することを目的とする。
【課題を解決するための手段】
【００１２】
上記課題を解決するために、本件発明は、以下の特徴を有する課題を解決するための手段を採用している。
【００１３】
請求項１に記載された発明は、複数の放送局から送信された放送波の受信信号に対し、チャンネルの調整による周波数変換を行う周波数変換装置において、前記放送局毎に予め設定された全物理チャンネルと、前記全物理チャンネルに対応する出力用の周波数を予め登録して記憶する放送局物理チャンネル記憶部と、前記放送局から送信された放送波のうち、予め設定された放送局からの放送波を選択して受信するよう判断する選択局判断部と、前記全物理チャンネルのうち、少なくとも１つの物理チャンネルを前記放送局物理チャンネル記憶部に記憶されている予め設定された放送局系列毎のチャンネルに変換する局部発信信号変換部と、
前記局部発信信号変換部により変換された周波数に対応させて抽出される放送信号を受像機に出力する出力部とを有することを特徴とする。
【００１４】
請求項１記載の発明によれば、異なる放送局からの電波の受信によるチャンネル調整のための周波数変換を、再スキャンすることなく効率的且つ迅速に行うことができる。
【００１５】
請求項２に記載された発明は、前記受像機における物理チャンネルの変更を遠隔操作装置による遠隔指示により行うために、前記遠隔操作装置からの遠隔制御信号を入力する遠隔信号入力部を有し、前記局部発信信号変換部は、前記遠隔操作装置からのチャンネル番号に対応したチャンネルの周波数を変換することを特徴とする。
【００１６】
請求項２記載の発明によれば、遠隔操作装置からの遠隔制御信号に基づいて、対応するチャンネルの周波数を簡便に変換することができる。
【００１７】
請求項３に記載された発明は、前記放送局物理チャンネル記憶部は、前記遠隔操作装置から送信されるチャンネル番号と前記チャンネル番号の周波数とを物理チャンネルに対応付けて記憶することを特徴とする。
【００１８】
請求項３記載の発明によれば、遠隔操作装置のチャンネル番号とその周波数信号とを物理チャンネルに対応付けて記憶することで、例えば遠隔操作装置等からのリモコン信号に対応させて入力される放送信号のチャンネル周波数を所望する放送局に対応した周波数に容易に変換することができる。
【００１９】
請求項４に記載された発明は、所定の放送局からの放送波を受信するための設定をユーザに入力させる設定入力部を有し、前記設定入力部から前記全物理チャンネルを複数ある放送局系列のうち、どの放送局に対応させるかの情報が設定されると、前記選択局判断部は、前記設定入力部により設定された放送局からの信号を選択することを特徴とする。
【００２０】
請求項４記載の発明によれば、設定入力部を設けておくことにより、対応させる放送局の指定や放送局の新規登録を周波数変換装置自体で行うことができる。
【００２１】
請求項５に記載された発明は、前記局部発信信号変換部は、前記全物理チャンネル毎又は前記放送局毎に一括して物理チャンネルの周波数変換を行うことを特徴とする。
【００２２】
請求項５記載の発明によれば、迅速に対応する放送局の物理チャンネルに反映することができる。これにより、チャンネルの変更が頻繁にある場合にもリアルタイムに対応することができる。
【００２３】
請求項６に記載された発明は、前記局部発信信号変換部は、前記放送局物理チャンネル記憶部により記憶された前記遠隔操作装置に対応したチャンネル番号により、選択されたチャンネルを判断し、前記放送局物理チャンネル記憶部により記録してある物理チャンネルの周波数から固定チャンネルに変換することを特徴とする。
【００２４】
請求項６記載の発明によれば、遠隔操作装置のチャンネル番号を基準として対応するチャンネルを固定チャンネルに変更できるため、ユーザの操作を簡便にすることができる。
【発明の効果】
【００２５】
本発明によれば、異なる放送局からの電波の受信によるチャンネル調整のための周波数変換を効率的且つ迅速に行うことができる。
【発明を実施するための最良の形態】
【００２６】
＜本発明の概要＞
例えば、移動・携帯受信機の場合に、親局や中継局等の放送局から送信された電波の受信状態が頻繁に変わることが想定されるため、予め設定される「受信可能周波数テーブル」を地域や受信状態等により複数持つことや物理チャンネルによって作成すること等が考えられるが、データの蓄積方法については、一般化されておらず、それぞれ異なる手法を用いている。そのため、本発明では、その１つの手法を提案する。
【００２７】
具体的には、本発明は、例えば市販の地上デジタル受信機では、同じ放送局系列の物理チャンネルであれば、異なる中継局の電波であってもスキャンすることなく受信することができる。そこで、市販の地上デジタル受信機で予め初期スキャンしたチャンネルに受信した異なる周波数のチャンネルを周波数変換（ダウンコンバート又はアップコンバート）することにより、スキャンすることなく受信することができる。
【００２８】
なお、コンバータでは、複数の放送局のリモコンナンバー毎の物理チャンネルを記録部に記録し、放送局及びリモコンナンバーを選択すれば、希望するチャンネルにダウンコンバートすることができる。また、市販の地上デジタル受信機のリモコンナンバーキーの赤外線信号を記憶し、地上デジタル受信機と同時にダウンコンバータも制御することができるようにする。
【００２９】
以下に、上述したような特徴を有する本発明における周波数変換装置を好適に実施した形態について、図面を用いて詳細に説明する。
【００３０】
＜システム構成例＞
まず、周波数変換装置が適用される放送局からの放送送信システムの概要例について図を用いて説明する。
【００３１】
図１は、放送局からの放送送信システムの概要の一例を示す図である。なお、図１に示す放送送信システム１では、一例としてＡ局〜Ｃ局の３つの放送局２−１〜２−３を用いて示しているが、放送局の個数やその配置については特に制限されるものではない。
【００３２】
図１に示すように、各放送局２−１〜２−３は、それぞれ対応する番組をデジタル放送、アナログ放送等で放送することができる。また、それぞれの放送局２−１〜２−３には、対応する所定の放送電波到達範囲３−１〜３−３が存在する。
【００３３】
また、どの周波数にどの番組（チャンネル）を対応させるかについては、各放送局２−１〜２−３でそれぞれ設定されている。ここで、図１に示す斜線部分は、複数の放送局からの信号が受信可能な領域である。そのため、例えば、複数の放送局からの放送電波を受信する場合には、受信した電波のうち、受信レベルの大きい方やノイズの少ないものを選択して受信していた。しかしながら、本発明では、どの放送局から電波を受信するかを選択させることができるものとし、これにより、ある放送局におけるある地点での放送の状況を高精度に把握することができる。
【００３４】
＜放送受信システムの構成例＞
次に、図１に示すような各放送局２−１〜２−３から送信された放送電波を受信する放送受信システムの構成例について図を用いて説明する。図２は、本実施形態における周波数変換装置が適用された放送受信システムの一構成例を示す図である。図２に示す放送受信システム１０は、アンテナ部１１と、周波数変換装置１２と、受像機１３と、リモコン（リモートコントローラ：遠隔制御装置）１４とを有するよう構成されている。
【００３５】
アンテナ部１１は、親局や中継局等の各放送局等からの放送電波を受信する。具体的には、アンテナ部１１は、ＦＭラジオ（ＶＨＦ）（周波数範囲：７６〜９０ＭＨｚ）や、ＶＨＦ  Ｌｏｗバンド（地上波アナログＶＨＦ用）（周波数範囲：９０〜１０８ＭＨｚ：１〜３チャンネル）、ＶＨＦ  Ｍｉｄバンド（ケーブルテレビ伝送用）（周波数範囲：１０８〜１７０ＭＨｚ：Ｃ１３〜Ｃ２２チャンネル）、ＶＨＦ  Ｈｉバンド（地上波アナログＶＨＦ用）（周波数範囲：１７０〜２２２ＭＨｚ：４〜１２チャンネル）、ＶＨＦ  Ｓｕｐｅｒ  Ｈｉバンド（ケーブルテレビ伝送用）（周波数範囲：２２２〜４６８ＭＨｚ：Ｃ２３〜Ｃ６３チャンネル）、ＵＨＦ（地上波デジタル／地上波アナログＵＨＦ）バンド（周波数範囲：４７０〜７７０ＭＨｚ：１３〜６２チャンネル）等の電波を受信することができる。また、アンテナ部１１は、受信した放送電波を周波数変換装置１２に出力する。
【００３６】
周波数変換装置１２は、予め設定されたチャンネル毎の周波数変換テーブルを用いて、チャンネルの少なくとも１つの周波数を変換する。
【００３７】
この場合、周波数変換装置１２は、例えば、ユーザにより選局された１又は複数の物理チャンネルのみを所定の周波数に変換してもよく、また全物理チャンネル毎又は放送局毎にそれぞれ所定の周波数に一括して変換してもよい。
【００３８】
また、周波数変換装置１２は、どの局からの電波を受信するかを設定することができる。これにより、ある放送局から送信された送信電波は、ある地点においてどのような受信状態であるか（受信可能であるか）を測定することができる。また、周波数変換装置１２は、変換した電波信号を受像機１３に出力する。
【００３９】
更に、周波数変換装置１２は、受像機１３用のリモコン１４からの出力信号を受信する機能を有し、リモコン１４に設けられたチャンネル変更キー（ボタン）に対応させて各チャンネルに合わせて周波数変換テーブルの内容を更新することができる。
【００４０】
具体的には、周波数変換装置１２は、例えばリモコン１４からの赤外線信号等により送信されたチャンネル毎に対応する信号の周波数に合わせて周波数変換装置１２に予め蓄積されたテーブル内の所定のチャンネルの周波数を所定のリモコンの周波数に合わせるように構成する。
【００４１】
受像機１３は、周波数変換装置１２により変換された周波数に対応する放送信号（映像や音声等）を出力する。なお、受像機１３は、所定のチャンネルに対応する電波が受信できない場合には、画面に受信不良状態（ブロックノイズ等）が表示されるか、又は受信できない旨のメッセージを表示する。更に、受像機１３は、受信した受信レベル信号を表示してもよい。
【００４２】
リモコン（リモートコントローラ：遠隔制御装置）１４は、受像機１３に対して各チャンネルに対応する赤外線信号を用いた無線信号等を送信することで、受像機１３の画面に表示されるチャンネルの切り換えを行うことができる。また、リモコン１４は、周波数変換装置１２に対してもチャンネルに対応する周波数を切り換えるための制御を行わせるための信号を送ることができる。
【００４３】
＜周波数変換装置１２：機能構成例＞
次に、周波数変換装置１２の具体的な機能構成例について、図を用いて説明する。なお、以下に示す周波数変換装置１２については、放送局の一例として中継局を用いることとするが、本発明においてはこれに限定されるものではなく親局等を含んでいてもよい。
【００４４】
図３は、周波数変換装置の機能構成の一例を示す図である。図３に示す周波数変換装置１２は、放送信号入力部２１と、リモコン信号入力部２２と、パネル入力部（設定入力部）２３と、選択チャンネル判断部２４と、中継局物理チャンネル記憶部（放送局物理チャンネル記憶部）２５と、選択局判断部２６と、局部発信信号部２７と、合成部２８と、出力部２９と、表示部３０とを有するよう構成されている。
【００４５】
放送信号入力部２１は、アンテナ部１１により入力された中継局からの放送信号を入力する入力ユニットである。なお、放送信号は、所定の周波数毎に対応するチャンネルの映像、音声信号が入力される。
【００４６】
リモコン信号入力部２２は、上述したリモコン１４から複数のチャンネルのうち、ある特定のチャンネルの無線信号を入力するための受信ユニットである。また、リモコン信号入力部２２は、リモコン１４からリモコン信号として赤外線信号を入力する。また、リモコン信号入力部２２は、入力された信号を選択チャンネル判断部２４に出力する。
【００４７】
ここで、地上デジタル放送用周波数（物理チャンネル）とリモコンチャンネルについて説明する。デジタルテレビ放送には、このリモコン番号の１つ１つに対応した物理チャンネルが存在する。物理チャンネルは、アナログのＵＨＦ放送のチャンネル番号と一致し、地上デジタル放送では、アナログのＵＨＦ放送と略同じ周波数を使用している。
【００４８】
なお、地上デジタルでは、実際の周波数を表す言葉としてアナログＵＨＦ放送の１３ｃｈ〜６２ｃｈのチャンネル番号を「物理チャンネル」といい、リモコン番号については「リモコンＩＤ」ともいわれている。ここで、リモコンＩＤとは、地上デジタルテレビ放送等において、放送事業者単位で決められているリモコンの押しボタン用の番号のことを示す。
【００４９】
また、テレビにおけるリモコン１４のキーは、受信周波数を選択することで結果的に番組を１つ選ぶものであったが、デジタル放送においては、１つの周波数帯域チャンネルで複数の番組を配信することができる。また、地上デジタル放送は、従来のアナログ放送と異なり、ＵＨＦでの送信が行われることになったため、リモコンの番号と送信チャンネルが一致しないことが多い。これらの事情を総合して決められたのがリモコンキーＩＤであり、このＩＤに対応してリモコン番号は割り当てられている。
【００５０】
パネル入力部２３は、中継局の物理チャンネルの選局及び新規登録等を行う。具体的には、パネル入力部２３は、ユーザ等に各種設定させるための設定操作部と、設定した内容を表示する表示部とを有している。なお、パネル入力部２３による具体的な信号の入力例については後述する。また、パネル入力部２３により入力された情報は、中継局物理チャンネル記憶部２５に出力されると共に表示部３０により表示される。なお、パネル入力部２３により入力される情報としては、ある周波数に対する変換先のチャンネル又は放送局を指定する変換先指定情報、受信する中継局を選択する中継局選択情報、「中継局Ｎｏ．」、「リモコンＮｏ．」、「ＵＨＦチャンネル」等がある。
【００５１】
選択チャンネル判断部２４は、リモコン信号入力部２２により入力されたチャンネル指定信号に対応してどのチャンネルが選択されたかを判断し、選択局を特定する。また、選択チャンネル判断部２４は、その選択信号（リモコンナンバーキー信号）を中継局物理チャンネル記憶部２５に出力する。
【００５２】
中継局物理チャンネル記憶部２５は、パネル入力部２３の指示により設定される１又は複数の中継局の物理チャンネルを記憶する。このとき、中継局物理チャンネル記憶部２５は、リモコン１４から送信されたチャンネル番号（リモコンナンバーキー）とチャンネル番号の周波数とを物理チャンネルに対応付けて記憶する。
【００５３】
また、中継局物理チャンネル記憶部２５は、パネル入力部２３により設定される１又は複数の変換先指定情報、中継局選択情報、「中継局Ｎｏ．」、「リモコンＮｏ．」、「ＵＨＦチャンネル」等を記憶する。
【００５４】
中継局物理チャンネル記憶部２５は、選択チャンネル判断部２４により得られる選択信号（リモコンナンバーキー信号）とパネル入力部２３により入力された変換先指定情報とを用いて、対応する中継局の物理チャンネルの周波数を設定して記憶する。また、中継局物理チャンネル記憶部２５は、その後は設定されたリモコンナンバーキー信号等の各種情報を局部発信信号部２７に出力する。
【００５５】
また、選択局判断部２６は、放送信号入力部２１により得られる放送信号から、中継局物理チャンネル記憶部２５に予め登録されている放送局毎のリモコンナンバーキーに関係付けられた物理チャンネルや選択チャンネル判断部２４により得られるリモコンナンバーキー信号等に基づいて、所定の選択局からの信号を選択する。
【００５６】
局部発信信号部２７は、局部発信信号ｆ０（可変）を基準として入力される放送信号を所定の周波数に変換した後、周波数変換した信号を出力する。具体的には、局部発信信号部２７は、中継局物理チャンネル記憶部２５により記憶（メモリー）されたリモコンナンバーキー信号により、選択したチャンネルを判断し、記憶してある物理チャンネルの周波数から判断して、固定のチャンネルにコンバートする。
【００５７】
なお、局部発信信号部２７におけるコンバートは、周波数を低く変換するダウンコンバートや周波数を高く変換するアップコンバートが可能となる。また、局部発信信号部２７は、少なくとも１チャンネルのチャンネル信号をコンバートすることもでき、放送局単位でコンバートすることもできる。
【００５８】
これにより、例えばユーザ等がチャンネルを選定した時点で変換することもでき、また放送局を選定した時点で、その放送局に対応する全部のチャンネルを選局することができる。
【００５９】
また、合成部２８は、放送信号入力部２１から入力された放送信号に局部発信信号部２７によりコンバートされた信号を合成する。また、合成部２８は、合成された信号を出力部２９に出力する。出力部２９は、合成部２８により合成された放送信号を出力部２９により出力する。
【００６０】
また、表示部３０は、パネル入力部２３により入力される各種設定内容や、入力時におけるエラー情報等、を画像又は音声で表示・出力する機能を有する。なお、上述した表示部３０とパネル入力部２３とを一体にして、例えばタッチパネル等のような構成にしてもよい。
【００６１】
これにより、異なる中継局からの電波の受信によるチャンネルの調整を再スキャンすることなく効率的で容易に行うことができる。また、再スキャンを行う必要がないため、移動体通信等のように各移動局に迅速に移動する場合にもリアルタイムに受信を行うことができる。また、移動後のある所定の位置で、ある所定の放送局からの放送波を受信し、受信状態を測定したいような場合にも対応することができる。
【００６２】
＜パネル入力部２３（操作パネル）について＞
次に、上述したパネル入力部２３としてユーザからの指示信号を入力するための操作パネルの具体例について図を用いて説明する。
【００６３】
図４は、パネル入力部における設定操作部の一例を示す図である。図４に示す設定操作部は、概略すると操作入力領域と数値入力領域とを有するよう構成されている。ここで、操作入力領域には、一例として、中継局メモリボタン３１と、リモコンメモリボタン３２と、測定ボタン３３と、中継局選択ボタン３４と、リモコン選局ボタン３５と、ＵＨＦチャンネルボタン３６とを有している。また、数値入力領域には、一例として、テンキー３７と、アップダウンキー３８とを有している。
【００６４】
中継局メモリボタン３１は、中継局のチャンネルの設定を行う場合に選択し、中継局選択ボタン３４を選択した後、テンキー３７やアップダウンキー３８により数値の設定を行い、その結果を記憶する場合に選択されるボタンである。
【００６５】
リモコンメモリボタン３２は、リモコン信号に対応させてチャンネルの設定を行う場合に選択し、リモコン選局ボタン３５を選択した後、テンキー３７やアップダウンキー３８により数値の設定を行い、その内容を記憶する場合に選択されるボタンである。
【００６６】
測定ボタン３３は、ある所定の地点での設定された中継局からの電波を測定する場合に選択し、テンキー３７やアップダウンキー３８により数値の設定を行う。
【００６７】
中継局選択ボタン３４は、どの中継局の信号を受信するかを選択するためのボタンである。また、中継局選択ボタン３４は、予め設定されている中継局の対応する周波数を変更する場合に選択され、テンキー３７やアップダウンキー３８等を用いて設定が行われて、中継局メモリ３１により設定される。
【００６８】
リモコン選局ボタン３５は、どのリモコンからの信号であるかを選択するためのボタンである。また、リモコン選局ボタン３５は、リモコンの設定を変更する場合に選択され、リモコンメモリ３２により設定される。
【００６９】
ＵＨＦチャンネルボタン３６は、受信するＵＨＦの各チャンネルを選択するためのボタンである。具体的には、ＵＨＦチャンネルボタン３６を選択後、テンキー３７やアップダウンキー３８等を用いて選択される。
【００７０】
テンキー３７は、例えば各数字１桁に対応した０〜９の各ボタン群からなり、１又は複数のボタンを選択することで、「中継局Ｎｏ．」、「リモコンＮｏ．」、「ＵＨＦチャンネル」等の数値の設定を行うことができる。
【００７１】
アップダウンキー３８は、既に設定されている「中継局Ｎｏ．」、「リモコンＮｏ．」、「ＵＨＦチャンネル」等の数値を上げ下げさせて、所定の数値に設定するためのボタンである。
【００７２】
なお、本発明におけるパネル入力部２３についてはこれに限定されるものではなく、設定をキャンセルするキャンセルボタンや設定内容を記憶するための登録ボタン等を有していてもよい。
【００７３】
＜表示部３０の表示例＞
次に、上述した表示部３０における表示例について説明する。図５は、本実施形態における表示部の表示の一例を示す図である。なお、図５（ａ）は、中継局物理チャンネルメモリ時における表示部３０の表示例を示し、図５（ｂ）は、リモコン信号メモリ時における表示部３０の表示例を示し、図５（ｃ）は、測定時における表示部３０の表示例を示している。
【００７４】
図５（ａ）〜（ｃ）に示すように、画面４０には、それぞれ「中継局Ｎｏ．」表示領域４１−１〜４１−３、「リモコンＮｏ．」表示領域４２−１〜４２−３、「ＵＨＦチャンネル」表示領域４３−１〜４３−３を表示する各表示領域を有している。
【００７５】
まず、図５（ａ）に示すように、中継局物理チャンネルメモリ時については、「中継局Ｎｏ．」表示領域４１−１、「リモコンＮｏ．」表示領域４２−１、「ＵＨＦチャンネル」表示領域４３−１に選択された内容を識別するための番号をそれぞれ選択することでき、それぞれ選択された内容を表示することができる。なお、図５（ａ）では、「中継局Ｎｏ．１，リモコンＮｏ．２，ＵＨＦチャンネル３０」の組が設定されていることが、画面４０に表示されている。
【００７６】
また、図５（ｂ）に示すように、リモコン信号メモリ時については、「リモコンＮｏ．」表示領域４２−２に選択された内容を識別するための番号をそれぞれ選択することができ、選択された内容を表示することができる。なお、「中継局Ｎｏ．」表示領域４１−２、及び「ＵＨＦチャンネル」表示領域４３−２については、設定できないような表示になる。この場合、設定できないことをユーザに明示するため、例えば表示領域の色を変えたり、非表示にしたり、設定できないことを文字等で表示する等の処理を行うことができる。
【００７７】
また、図５（ｃ）に示すように、測定時については、「中継局Ｎｏ．」表示領域４３−１、及び「リモコンＮｏ．」表示領域４２−３に選択された内容を識別するための番号をそれぞれ選択することができ、それぞれ選択された内容を表示することができる。なお、「ＵＨＦチャンネル」表示領域４３−２については、上述したように設定できないような表示になる。
【００７８】
このように、各設定内容を設定可能と設定不可能部分を色等で区別して表示させることで、ユーザが設定する部分、及び設定内容を容易に把握することができる。
【００７９】
＜コンバート例＞
次に、本実施形態における周波数のコンバート例について図を用いて説明する。図６は、周波数変換の様子を説明するための一例の図である。例えば、受信機１３用のリモコン１４に設けられる＜０１＞〜＜１２＞のボタンは、デフォルトで各事業者を割り当てる機能であり、１事業者につき１つのリモートコントロールキーＩＤ（ｒｅｍｏｔｅ＿ｃｏｎｔｒｏｌ＿ｋｅｙ＿ｉｄ）に記載された番号で該当ボタンに割り当てられる。したがって、あるボタンが押された場合には、ＴＳ毎の代表的なサービスが提供される。
【００８０】
なお、このリモートコントロールキーＩＤは、原則として放送対象地域内でユニークで、隣接エリアともある程度調整されるが、他エリアからも受信したことによりリモートコントロールキーＩＤが重複した場合には、周波数のコンバートが必要となる。
【００８１】
ここで、図６（ａ）に示すように、チャンネル＜０１＞が選択された場合には、上述した局部発信信号部２７によりｆ０（可変）を用いてチャンネル＜０１＞の物理チャンネル（ＵＨＦ）が、出力の１番目の周波数のチャンネル（ＳＨＢ）に変換される。また、他のチャンネルは、どこに変換されても信号としては利用しない。
【００８２】
また、図６（ｂ）に示すように、チャンネル＜０２＞が選択された場合も図６（ａ）に示す内容と同様にチャンネル＜０２＞の物理チャンネル（ＵＨＦ）が、出力の２番目の周波数のチャンネル（ＳＨＢ）に変換される。この場合、元の周波数配列の関係により、上述した図６（ａ）に示すチャンネル＜０１＞の動作内容と変わらない。
【００８３】
また、図６（ｃ）に示すように、チャンネル＜０３＞が選択された場合には、局部発信信号部２７は、コンバータの局部発信周波数を変更する。つまり、チャンネル＜０３＞の物理チャンネル（ＵＨＦ）が出力の３番目の周波数のチャンネル（ＳＨＢ）に変換（コンバート）されるように局部発信周波数を変更する。
【００８４】
図７は、チャンネル毎におけるコンバート前後の放送局毎の変換テーブルの一例を示す図である。図７に示すように、リモコンナンバー＜０１＞〜＜１２＞には、それぞれチャンネル毎に少なくとも１つは配置が異なる周波数ｆ１〜ｆ１２が設定されている。このとき、例えば受信する地点において、予め設定されたリモコンナンバーに対する入力チャンネル（ｃｈ）テーブルＡ〜Ｃのうち１つを選択することにより、局部発信信号ｆ０を決定し、対応する周波数へのコンバートを行い、出力ｃｈテーブルの各リモコンナンバー＜０１＞〜＜１２＞に対応するテーブルｆ１’〜ｆ１２’にコンバートされる。これにより、所定の放送局における受信信号に対応したコンバートを実現することができる。
【００８５】
これにより、異なる中継局からの電波の受信によるチャンネルの調整を再スキャンすることなく効率的で容易に行うことができる。また、再スキャンを行う必要がないため、移動体通信等のように各移動局に迅速に移動する場合にもリアルタイムに受信を行うことができる。また、移動後のある所定の位置で、ある所定の放送局からの放送波を受信し、受信状態を測定したいような場合にも対応することができる。
【００８６】
＜周波数変換処理手順＞
ここで、上述した本実施形態における周波数変換装置１０を用いた周波数変換処理手順について、フローチャートを用いて説明する。図８は、本実施形態における周波数変換処理手順の一例を示すフローチャートである。なお、以下の説明では、放送局の一例として上述と同様に中継局を用いることとする。また、受像機の一例としてテレビ受像機を用いて説明することとし、更にリモコンからの無線信号として赤外線信号を用いることとする。
【００８７】
図８に示す周波数変換処理は、まず予めテレビ受像機を固定のチャンネルでスキャンし（Ｓ０１）、次に複数の中継局毎の物理チャンネル（周波数）をリモコンナンバー毎に記録する（Ｓ０２）。また、使用するテレビの受信機のリモコンナンバーキーの赤外線信号を記録する（Ｓ０３）。
【００８８】
次に、周波数変換装置で変換する受信局を選択し（Ｓ０４）、使用するテレビ受像機のリモコンナンバーキーを押したか（選択したか）否かを判断する（Ｓ０５）。リモコンナンバーキーを押した場合（Ｓ０５において、ＹＥＳ）、テレビ受像機のチャンネルを選択したチャンネルに変更する（Ｓ０６）。
【００８９】
また、コンバータの局部発信周波数を変更し（Ｓ０７）、また選択した物理チャンネルを対応する固定チャンネルにコンバートする（Ｓ０８）。
【００９０】
ここで、Ｓ０８の処理の終了後、又はＳ０５の処理において、リモコンナンバーキーを押していない場合（Ｓ０５において、ＮＯ）、コンバートを終了するか否かを判断し（Ｓ０９）、他のチャンネルの変更等を行う等、コンバートを終了しない場合（Ｓ０９において、ＮＯ）、Ｓ０５に戻り以降の処理を継続して行う。また、Ｓ０９の処理において、コンバートを終了する場合（Ｓ０９において、ＹＥＳ）、周波数変換処理を終了する。
【００９１】
上述した処理により、異なる中継局からの電波の受信によるチャンネルの調整を再スキャンすることなく効率的で容易に行うことができる。また、再スキャンを行う必要がないため、移動体通信等のように各移動局に迅速に移動する場合にもリアルタイムに受信を行うことができる。また、移動後のある所定の位置で、ある所定の放送局からの放送波を受信し、受信状態を測定したいような場合にも対応することができる。
【００９２】
なお、図８に示す処理においては、リモコンナンバーキーに対応させて番組のチャンネル毎にコンバートする例を示したが、本発明においてはこの限りではなく、例えば、コンバート対象となったチャンネルだけでなく、その対象となる放送局の全チャンネルを一度にコンバートしてもよい。また、リモコンナンバーキーに限定されず、周波数変換装置自体に設けられた操作入力部により設定された放送局からの信号のみを変換するようにしてもよい。この場合、放送局の識別は、信号に含まれる局名（例えば、ＴＳ名等）を用いて識別することができる。
【００９３】
上述したように本発明によれば、異なる放送局からの電波の受信によるチャンネル調整のための周波数変換を、再スキャンすることなく効率的且つ迅速に行うことができる。また、再スキャンを行う必要がないため、移動体通信等のように各移動局に迅速に移動する場合にもリアルタイムに受信を行うことができる。また、移動後のある所定の位置で、ある所定の放送局からの放送波を受信し、受信状態を測定したいような場合にも対応することができる。
【００９４】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【００９５】
【図１】放送局からの放送送信システムの概要の一例を示す図である。
【図２】本実施形態における周波数変換装置が適用された放送受信システムの一構成例を示す図である。
【図３】周波数変換装置の機能構成の一例を示す図である。
【図４】パネル入力部における設定操作部の一例を示す図である。
【図５】本実施形態における表示部の表示の一例を示す図である。
【図６】周波数変換の様子を説明するための一例の図である。
【図７】チャンネル毎におけるコンバート前後の放送局毎の変換テーブルの一例を示す図である。
【図８】本実施形態における周波数変換処理手順の一例を示すフローチャートである。
【符号の説明】
【００９６】
１  放送送信システム
２  放送局
３  放送電波到達範囲
１０  放送受信システム
１１  アンテナ部
１２  周波数変換装置
１３  受像機
１４  リモコン
２１  放送信号入力部
２２  リモコン信号入力部
２３  パネル入力部
２４  選択チャンネル判断部
２５  中継局物理チャンネル記憶部
２６  選択局判断部
２７  局部発信信号部
２８  合成部
２９  出力部
３０  表示部
３１  中継局メモリボタン
３２  リモコンメモリボタン
３３  測定ボタン
３４  中継局選択ボタン
３５  リモコン選局ボタン
３６  ＵＨＦチャンネルボタン
３７  テンキー
３８  アップダウンキー
４０  画面
４１  「中継局Ｎｏ．」表示領域
４２  「リモコンＮｏ．」表示領域
４３  「ＵＨＦチャンネル」表示領域
【図１】
2009171335.tif 000003
【図２】
2009171335.tif 000004
【図３】
2009171335.tif 000005
【図４】
2009171335.tif 000006
【図５】
2009171335.tif 000007
【図６】
2009171335.tif 000008
【図７】
2009171335.tif 000009
【図８】
2009171335.tif 000010